(57)【特許請求の範囲】
【請求項１】
帯状のトイレットペーパーを紙管に巻いたトイレットロールであって、
前記紙管を、複数の水解性原紙を積層し水溶性接着剤により一体化した紙管原紙により形成して水解性とするとともに、その各層を構成する水解性原紙の何れかに水溶性の洗浄剤を担持させ、かつ、前記水解性原紙同士を積層一体化するための水溶性接着剤中に、前記水解性原紙に担持させた洗浄剤と異なる洗浄剤を含有させた、ことを特徴とするトイレットロール。
【請求項２】
紙管の外面に洗浄剤が担持されている請求項１記載のトイレットロール。
【請求項３】
前記紙管原紙が３層以上の水解性原紙が積層されたものであり、その内層を構成する水解性原紙に前記洗浄剤が担持されている請求項１又は２記載のトイレットロール。
【請求項４】
紙管のトイレットペーパーが巻き掛けられる外周面に洗浄剤が担持されている請求項２記載のトイレットロール。
【請求項５】
紙管原紙が、異なる洗浄剤が担持された水解性原紙を含む請求項１〜４の何れか１項に記載のトイレットロール。
【請求項６】
前記紙管が、複数枚の帯状の紙管原紙が幅方向に一部重ねられた状態で螺旋状に巻かれているとともに重ね合わせ部において糊により接着されて形成されたものであり、その重ね合わせ部に配された糊中に洗浄剤が含有されている請求項１〜５の何れか１項に記載のトイレットロール。
【請求項７】
前記洗浄剤における洗浄成分が界面活性剤である請求項１〜６の何れか１項に記載のトイレットロール。
【請求項８】
前記洗浄剤中に、酸類及びアルカリ成分の少なくとも一方を含有する請求項１〜７の何れか１項に記載のトイレットロール。
【発明の詳細な説明】
【技術分野】
【０００１】
本発明は、長尺のトイレットペーパーを紙管に巻取って成るトイレットロール関する。
【背景技術】
【０００２】
トイレットロールでは、トイレットペーパーについては使用後にトイレに流して処分するが、トイレットペーパーをすべて使用した後にペーパーホルダーに残る紙管については、別途に一般ゴミとして廃棄処分している。
【０００３】
そして、この紙管の廃棄については、トイレ個室空間にあった紙管を他人と接触する別途の空間に持ち出すことに抵抗を感ずる、或いは紙管を別途の空間に持ち出して廃棄する手間自体が面倒である、との不満を抱える使用者も多い。
【０００４】
このような不満を解決すべく、紙管をトイレに流れるようにすべく水解性を持たせた商品が存在するが、トイレに廃棄できるという以上のメリットがないのが現状である。
【０００５】
紙管はトイレットペーパーを巻くため、及びトイレットロールをホルダーに取り付けるといった重要な役割を担うものであるが、使用者視点では、使用後においては廃棄物として残るだけの価値のないものとの認識もあり、紙管に有用な利用法を具備させることには意義がある。
【０００６】
ここで、紙管にトイレに流せる以上の利点を持たせた技術として下記特許文献１に開示されるように、紙管をトイレに流せるようにするとともに、紙管中にバクテリアを担持させ、浄化槽の水質改善が行えるようにしたものがある。
【０００７】
しかし、特許文献１のものは使用者が直接的に得られるメリットではないため、遡及力がなく普及するには至っていない。
【先行技術文献】
【特許文献】
【０００８】
【特許文献１】特許第２７０５７５９号
【発明の概要】
【発明が解決しようとする課題】
【０００９】
そこで、本発明の主たる課題は、使用後にトイレに流して処分でき、しかも付加価値のある紙管を有するトイレットロールを提供することにある。
【課題を解決するための手段】
【００１０】
上記課題を解決した本発明とその効果は次記のとおりである。
〔請求項１記載の発明〕
帯状のトイレットペーパーを紙管に巻いたトイレットロールであって、
前記紙管を、複数の水解性原紙を積層し水溶性接着剤により一体化した紙管原紙により形成して水解性とするとともに、その各層を構成する水解性原紙の何れかに水溶性の洗浄剤を担持させ、かつ、前記水解性原紙同士を積層一体化するための水溶性接着剤中に、前記水解性原紙に担持させた洗浄剤と異なる洗浄剤を含有させた、ことを特徴とするトイレットロール
【００１１】
〔請求項２記載の発明〕
紙管の外面に洗浄剤が担持されている請求項１記載のトイレットロール。
【００１２】
〔請求項３記載の発明〕
前記紙管原紙が３層以上の水解性原紙が積層されたものであり、その内層を構成する水解性原紙に前記洗浄剤が担持されている請求項１又は２記載のトイレットロール。
【００１３】
〔請求項４記載の発明〕
紙管のトイレットペーパーが巻き掛けられる外周面に洗浄剤が担持されている請求項２記載のトイレットロール。
【００１４】
〔請求項５記載の発明〕
紙管原紙が、異なる洗浄剤が担持された水解性原紙を含む請求項１〜４の何れか１項に記載のトイレットロール。
【００１５】
【００１６】
【００１７】
〔請求項６記載の発明〕
前記紙管が、複数枚の帯状の紙管原紙が幅方向に一部重ねられた状態で螺旋状に巻かれているとともに重ね合わせ部において糊により接着されて形成されたものであり、その重ね合わせ部に配された糊中に洗浄剤が含有されている請求項１〜５の何れか１項に記載のトイレットロール。
【００１８】
〔請求項７記載の発明〕
前記洗浄剤における洗浄成分が界面活性剤である請求項１〜６の何れか１項に記載のトイレットロール。
【００１９】
〔請求項８記載の発明〕
前記洗浄剤中に、酸類及びアルカリ成分の少なくとも一方を含有する請求項１〜７の何れか１項に記載のトイレットロール。
【００２０】
（作用効果）
本発明のトイレットロールでは、紙管を水解性とし、そこに水溶性の洗浄剤を担持させたので、トイレットペーパーを使用した後、紙管を水洗トイレに投入することによって洗浄剤が紙管より溶出し、トイレの便器、配管等の洗浄が図られる。
【００２１】
よって、トイレットペーパー使用後に紙管をトイレ個室外に持ち出すことなく、トイレに流して簡単に処分できるとともに、トイレの清掃を行なうことができるため紙管が無駄なく利用できるようになる。
【００２２】
また、特に本発明においては、紙管を、複数の水解性原紙を水溶性接着剤により積層して一体化した紙管原紙により形成して水解性とする。このようにすることで、紙管をトイレに投入した際に、紙管を構成する紙管原紙が各層の水解性原紙に迅速に分離し、トイレ内の水と接触してそこに担持された洗浄剤も迅速に溶出される。よって、良好な水解性と洗浄効果が発揮される。
【００２３】
ここで、紙管との関係で洗浄剤を担持させる位置が紙管外面、すなわち紙管原紙の表面位置であると、トイレ内に紙管を投入した際に洗浄剤が瞬時に水と接触して溶解することとなり、トイレ配管のみならず、トイレの便器、特にその水溜部が形成されるトラップ部分の洗浄をも効果的に行えるようになる。かかる位置への洗浄剤の担持は、いうまでもなく紙管の外面位置になる水解性原紙の特に、当該外面となる面に洗浄剤を担持させることとすればよい。
【００２４】
さらに、紙管原紙を３層以上の水解性原紙が積層されたものとして、その内層を構成する水解性原紙に洗浄剤を担持させることにより洗浄剤の溶出速度を調整することができる。すなわち、内層の水解性原紙に洗浄剤を担持させると外面に洗浄剤を担持させた場合と比較して、若干洗浄剤の溶出が遅れることになる。よって、内層の水解性原紙に洗浄剤を担持させると、トイレのトラップではなくトイレに繋がる配管において洗浄剤を溶出させることが可能となる。なお、この内層の水解性原紙への洗浄剤の担持と、上記外面における洗浄剤の担持と合わせれば、トラップと配管とを効果的に洗浄することが可能となる。また、その際に、それぞれの部位の洗浄に適した洗浄剤とすべく、外面に担持させる洗浄剤と内層を構成する水解性原紙に担持させる洗浄剤を事ならしめてもよい。
【００２５】
また、トイレットロールでは、紙管内にペーパーホルダーの支持部を挿入した状態で、トイレットペーパーを引き出して使用するのが一般的であり、紙管内周面は上記支持部と摺れることになるため、紙管内周面に洗浄剤を担持させると摺れによって洗浄剤が剥離してしまうおそれがある。よって、本発明において、紙管外面に洗浄剤を担持させる場合には、好適には紙管外面のなかでも特に外周面には洗浄剤を担持させるのがよい。このように紙管外周面に洗浄剤を担持させれば、洗浄剤の剥離のおそれがなくなり、確実にトイレットペーパーを使い切った後に使用した時の紙管による洗浄効果が得られるようになる。もちろん、紙管原紙を構成する複数の水解性原紙のうち、紙管原紙の内層を構成する水解性原紙に洗浄剤を担持させた態様であっても、洗浄剤の剥離のおそれがなく、確実にトイレットペーパーを使い切った後に使用した時の紙管による洗浄効果が得られるようになる。
【００２６】
また、外周面に洗浄剤を担持させる場合には、紙管内に２〜３本の指をかけて持って、紙管を湿らせることで洗浄剤を紙管外周面に溶出させて、便座や便器を清拭するといった清拭態様をも可能にする。
【００２７】
ここで、水解性原紙に洗浄剤を担持させる方法としては、抄紙機等において、デンプン、ＣＭＣ等の水溶性高分子とともに、サイズプレス、ゲートロールコーター、ビルブレードコーターなどのコーターでの塗布することにより行なうことが可能である。また、抄紙機で作られた原紙に別途オフコーターで塗布してもよい。
【００２８】
他方、本発明においては、各層を構成する水解性原紙に担持させる洗浄剤を相違させてもよい。配管、トラップに適した各種の洗浄剤を担持させたり、或いは溶液として混合することが困難な複数の洗浄剤を担持せしめることができるようになる。また、紙管をトイレに投入した際に、そのトラップに溜まる水に各洗浄剤を溶出させることで、各洗浄剤をトラップ内で混合させて洗浄効果を発揮させるようにすることも可能となる。
【００２９】
また、本発明では、水解性原紙同士を積層一体化するための水溶性接着剤中に洗浄剤を含有させる。紙管における洗浄剤含有量を多くすることができる。また、その場合に、水解性原紙に担持させた洗浄剤と水解性原紙同士を積層一体化するための水溶性接着剤中の洗浄剤とを異なるものとする。
【００３０】
他方、本発明では、紙管が、複数枚の帯状の紙管原紙が幅方向に一部重ねられた状態で螺旋状に巻かれているとともに重ね合わせ部において糊により接着される形成を採り、その重ね合わせ部に配された糊中に洗浄剤が含有されているものとすることができる。
【００３１】
このようにすれば、さらに多くの洗浄剤を紙管に担持させることが可能となる。また、糊中に洗浄剤を含有させたものとした場合にも、上記トイレットロール使用時におけるペーパーホルダー支持部との摺れによる洗浄剤の剥離が防止される。なお、このように接着剤中に洗浄剤を担持させることとしても、通常の紙管原紙からの紙管作成工程に変更を加えることなく製造でき、もって大幅な紙管原紙から紙管を作成する設備に大きな変更を加えることなく、洗浄剤の担持量を多くできる利点がある。
【００３２】
他方、本発明において望ましい洗浄剤の成分は、陽イオン界面活性剤、陰イオン界面活性剤、非イオン界面活性剤、両性界面活性剤等の界面活性剤が望ましい。便器、配管の洗浄に適しており、しかも安定的に紙管に担持させることが可能である。
【００３３】
また、前記洗浄剤中に、酸類及びアルカリ成分の少なくとも一方を含有させると、トイレに付着した水垢、尿石の除去、付着防止作用が得られ、より付加価値の高い紙管となる。
【発明の効果】
【００３４】
以上のとおり本発明によれば、使用後にトイレに流して処分でき、しかも付加価値のあるトイレットロール用の紙管を有するトイレットロールが提供される。
【図面の簡単な説明】
【００３５】
【図１】本発明に係るトイレットロールを説明するための図である。
【図２】本発明に係るトイレットペーパーの製造工程の説明図である。
【図３】本発明に係る紙管の製造方法を説明するための図である。
【図４】本発明に係る紙管原紙の断面図である。
【発明を実施するための形態】
【００３６】
本発明の実施形態を図面を参照しながら以下に説明する。
「本発明に係るトイレットロールの製造例」
まず、本発明に係るトイレットロールの製造方法を図１及び図２を参照して説明する。
本発明に係るトイレットロール１０の製造方法は、長尺の紙管１１Ｌを製造する工程（Ａ）と、ログ製造工程（Ｂ）と、裁断工程（Ｃ）を含む。
【００３７】
長尺の紙管１１Ｌを製造する工程（図１中（Ａ））は、図２にも示すように、二枚の帯状の紙管原紙（板紙）１２，１２を原反ロール１２Ａ，１２Ａからそれぞれ繰り出しつつ、所定位置に糊付けロール１３により糊３０を付与し、当該糊付けされた部分を重ねつつコアワインダー１４によりシャフト１５に螺旋状に巻付けた後、シャフトを引き抜き、生産品種に合わせた規定長さにスリッター１６にて切り揃えることで、円筒の長尺の紙管１１Ｌを形成する。
【００３８】
なお、各紙管原紙１２，１２は、各々違う原反を使用してもよく、例えば、一方に印刷を施したり、各々の米坪を変えたりしてもよい。本発明においても、必ずしも紙管原紙１，１は、同様のものである必要はない。
【００３９】
次いで、この長尺紙管１１Ｌの製造と平行して又はその後においては、ログ製造工程（図１中（Ｂ）にて、ログ１０Ｒを製造する。なお、ログ１０Ｒとは、業界においての一般用語であり、最終製品であるトイレットロール１０の径と同径でありかつ幅が最終製品の複数個分ある中間製品である。
【００４０】
このログ１０Ｒの製造は、連続的に又は段階的に、長尺紙管１１Ｌと実質的に同幅のトイレットペーパー原紙Ｓ１，Ｓ１を、ジャンボロールＪＲ，ＪＲから繰り出すとともに巻き付けてログ１０Ｒを形成する。この巻き付けは、既知のワインダー装置Ｘ２が利用できる。なお、図示例は、二つのジャンボロールＪＲ，ＪＲからトイレットペーパー原紙Ｓ１，Ｓ１を繰り出して、重ね合わせ部５１にて積層連続シートＳ２とした後、既知のコンタクトエンボス付与装置５４及びミシン目線形成装置７０にてコンタクトエンボスＣＥの付与とミシン目線（図示しない）の形成を行なった後、巻き取り装置７５にて巻き取り２プライ構造となるようにしている。
【００４１】
なお、図示の形態では、２つのジャンボロールから衛生薄葉紙を繰り出し、積層構造とした２プライ構造のトイレットペーパー原紙Ｓ２としているが、本発明においては、かかる２プライに限定されず、１プライ若しくは３プライ以上であってもよい。さらには、複数プライ構造とする場合には、各原紙の坪量や物性等は同じである必要はない。
【００４２】
次いで、このようにログ１０Ｒを製造したならば、このログ１０Ｒを既知のログアキュームレーターＸ３で複数本とストックしつつ後段のログカッター設備Ｘ４へと移動させる。そして、その後に図１中（Ｃ）に示すように、既知のログカッター７６でログ１０Ｒを製品幅に裁断し、個々のトイレットロール１０とする。かくして、本発明にかかるトイレットロール１０，１０…が製造される。
【００４３】
「第１の実施形態のトイレットロール」
次いで、本発明に係る第１の実施形態のトイレットロールについて説明する。
本発明に係るトイレットロールは、図３に示すとおり、紙管１１にトイレットペーパーＳ３が巻かれたものである。その大きさ等は、限定はされないが、概ね、幅Ｌ１が１００〜１１５ｍｍ、直径Ｌ２が１００〜１２０ｍｍ、巻き長さ（トイレットペーパーの全長）が１８〜７０ｍ、紙管径が３５〜５０ｍｍである。
【００４４】
また、本発明に係るトイレットペーパーＳ３は、既知のものが使用できるが、ＪＩＳ Ｐ ４５０１で規定される、ほぐれやすさの試験方法における水解性の結果が１００秒以下のものとする。通常は１００秒を超えると、水解性が遅く、例えば水洗トイレ等に廃棄したときに排水管に詰まるおそれがある。本発明では、紙管の水洗トイレへの廃棄を可能にすることを課題の一つとすることから、トイレットペーパーＳ３も水洗トイレに流せるものとする。
【００４５】
トイレットペーパーＳ３において上記水解性を達成するには、原料スラリーの叩解度の調整、湿潤紙力剤の不使用など既知の方法により達成することが可能である。
【００４６】
他方、本発明においては、図４に示すように、特徴的に、前記紙管１１を構成する紙管原紙１２を、複数の水解性原紙２２，２２を積層し水溶性接着剤２５により一体化したものとして、これにより、紙管原紙１２、さらに紙管１１自体を水解性のものとする。さらに、その紙管原紙１２の各層を構成する水解性原紙２２，２２の何れかに水溶性の洗浄剤を担持させる。なお、図４中、（Ａ）は２枚（２層）の水解性原紙２２，２２からなる紙管原紙１２を例示し、（Ｂ）は、３枚（３層）の水解性原紙２２，２２，２２からなる紙管原紙１２を例示している。なお、水解性原紙２２の積層数、洗浄剤５０の担持位置は、図示例に限定されるわけではない。例えば、２枚積層の紙管原紙２２の水溶性接着剤２５に面する部位に洗浄剤５０が担持されていてもよいし、各層を構成する水解性原紙２２，２２…のいずれかに１枚（１層）の水解性原紙２２のみに洗浄剤５０が担持されている態様であってもよい。
【００４７】
ここで、紙管１１全体としての水解性は、上記トイレットペーパーと同様にＪＩＳ Ｐ ４５０１で規定される、ほぐれやすさの試験方法における水解性の結果が１００秒以下であるのが望ましい。１００秒を超えると、トイレに流すのに適しないものとなる。
【００４８】
ここで、紙管１１自体の水解性を良好とすべく、紙管原紙１２を構成する水解性原紙２２の坪量を２０〜５０ｇ／ｍ2程度とし、積層数は２〜４層程度とするのが望ましい。このようにすると、紙管１１をトイレに投入した際に各層に迅速に分離されるとともに洗浄剤５０が溶出し、水解性と洗浄効果が良好なものとなる。なお、水解性原紙２２の積層一体化については、所定数の水解性原紙２２の表裏面の少なくとも一方面に水溶性接着剤２５を、既知の各種塗工機、印刷機により塗布した後、それらを重ね合わせ適宜のニップロール等で加圧して製造するなどすればよい。また、水解性原紙２２としては、既知の抄紙機により抄紙される板紙或いはクレープ紙等が使用できる。
【００４９】
ここで、紙管１１の水解性を良好にすべく、さらに（１）紙管原紙１２を構成する水解性原紙２２を抄造する際に、原料であるパルプスラリーの叩解度を低叩解度として繊維がほぐれやすいものとする、（２）紙管原紙１２を構成する水解性原紙２２及び水溶性接着剤２５について撥水性を高めるサイズ剤や湿潤時の紙力を増加させる湿潤紙力剤を用いないか使用量を少量とする、（３）紙管原紙１２全体としての坪量を１００〜２２０ｇ／ｍ2程度とする、（４）水解性原紙２２同士を積層一体化する水溶性接着剤２５、及び紙管原紙同士を接着する糊３０を澱粉糊、ＰＶＡ（ポリビニルアルコール）等の水溶性の高いものとする、のが望ましい。
【００５０】
なお、上記水解性原紙２２の原料の叩解度については、概ね５００〜６００程度のＣＳＦ（カナディアンフリーネス）とするのが望ましい。ＣＳＦが、６００を超えると、紙管１１が強度不足となるおそれがあり、５００未満だと水解性が悪化する。紙管１１全体としての坪量が１００ｇ／ｍ2未満であると製造の際、トイレットペーパーの巻き取り時の強度が十分に確保できないおそれがあり、２２０ｇ／ｍ2を超えると水解性が極めて悪化する。サイズ剤、湿潤紙力剤の使用量については、上記ＣＳＦ及び坪量との関係で適宜定めることができる。
【００５１】
また、水溶性接着剤２５については、水解性を確保すべく、０．１ｇ／ｍ2〜５．０ｇ／ｍ2程度の付与量とするのが望ましい。この範囲であると水溶性接着剤自体の水溶性が十分に発揮されるとともに、紙管１１をトイレに投入した際に、紙管１１を構成する紙管原紙１２に迅速に分解され紙管１１の水解性が良好なものとなる。
【００５２】
また、紙管原紙１２同士を接着する糊３０についても、水解性を良好にすべく、０．１ｇ／ｍ2〜５．０ｇ／ｍ2程度の付与量とするのが望ましい。
【００５３】
ここで、紙管１１の水解性を良好にすべく、紙管原紙１２を多数の孔を有するものとする、ミシン目線を付与して使用者がトイレットペーパーＳ３の使用後に紙管１１を細かく裁断してトイレに流せる態様としてもよい。
【００５４】
他方、本発明において、水解性原紙２２に洗浄剤５０を担持させるには、抄紙機における乾紙形成後の工程において当該乾紙に対して、或いは抄紙機で製造した原紙に対して、洗浄剤溶液或いは洗浄剤スラリーを付与手段によって付与すればよい。付与手段は、サイズプレスコーター、ゲートロールコーター、ビルブレードコーター、カーテンコーター等の各種塗工機、フレキソ印刷機、グラビア印刷機、インクジェット印刷機等の印刷機、スプレー塗布装置が例示できる。
【００５５】
他方、本発明においては水解性原紙２２同士を接着する接着剤２５中に洗浄剤５０を含有させる。この場合、水解性原紙２２に水溶性接着剤２５を塗布等した後、その水溶性接着剤２５上に接着力が過度に低下しない程度に粉末状の洗浄剤５０を散布させて固着させるようにしようにしてもよい。このようにすれば比較的多量の洗浄剤５０を紙管１１に担持させることができ、もって、紙管１１をトイレに投入した際の洗浄剤の溶出速度を速められるとともに、洗浄効果も高いものとなる。
【００５６】
ここで、洗浄剤５０は、既知の便器、便座等の清掃用途、清拭用途に用いられる既知の水溶性の洗浄剤が利用できる。好ましくは、安定性、安全性の高く、また洗浄効果が高い、陽イオン界面活性剤、陰イオン界面活性剤、非イオン界面活性剤、両性界面活性剤の界面活性剤である。
【００５７】
なお、紙管原紙１２を構成する複数の水解性原紙２２に洗浄剤５０を担持させる場合には、各水解性原紙２２に担持させる洗浄剤５０の種類は同一である必要はない。適宜、複数種の洗浄剤を用いることができる。また、水解性原紙同士を接着する水溶性接着剤中にも洗浄剤を含有させる場合、かかる水溶性接着剤中に含有させる洗浄剤と、水解性原紙に担持させる接着剤の種類を異ならしめてもよい。なお、紙管を形成すべく紙管原紙同士を接着する糊に洗浄剤を含有させる場合においても同様である。
【００５８】
また、洗浄剤中には、クエン酸などの植物酸、重曹等のアルカリ剤を含有させることができる。クエン酸や重曹を含有させることで便器等に付着した水垢、尿石の除去性を高めることができる。また、これら酸、アルカリ剤のみを洗浄剤５０としてもよい。
【００５９】
さらに、洗浄剤中には多量の水との反応によって発泡する発泡成分を含有させてもよい。発泡効果による洗浄性の向上と紙管１１の分解性が高まる。
【００６０】
他方、本発明における水解性原紙に対する洗浄剤の担持量は、特に限定はされないが、紙管全体として０．０５ｇ以上の担持量となるようにするのがよい。０．０５ｇ未満であると洗浄効果が得られないおそれがある。好適には、０．５〜５．０ｇである。
【００６１】
以上の本形態のトイレットロール１０では、トイレットペーパーＳ３をすべて使いきった後に残る紙管１１をトイレに投入することで、トイレの洗浄が行えるものとなる。
【００６２】
「第２の実施形態のトイレットロール」
次いで、本発明に係る第２の実施形態のトイレットロールについて説明する。
本形態は、第１の実施形態のトイレットロールにおいて、特に、紙管外面（外周面及び内周面）に洗浄剤を担持させたものである。
【００６３】
本形態では、紙管原紙１２を製造する際に、その表層を構成する水解性原紙２２の一方面、或いは両面に洗浄剤を塗布し、その塗布面が紙管原紙１２の表面となるようにして積層一体化するようにすればよい。また、紙管原紙形成後に表裏面に洗浄剤５０を塗布してもよい。
【００６４】
本形態では、紙管外面に洗浄剤が担持されているので、トイレに投入した際に瞬時に洗浄剤が溶出し、トイレ配管のみならず水溜まり部であるトラップ部分の洗浄も効果的に行なうことができる。
【００６５】
なお、本形態では、特に、紙管１１のトイレットペーパーＳ３が巻き掛けられる外周面のみに水溶性の洗浄剤が担持させてもよい。この場合、作用効果の欄でも述べたとおり、紙管内周面に担持させた際におけるペーパーホルダーの支持部との摺れによる洗浄剤の離脱のおそれがなくなる。
【００６６】
「第３の実施形態のトイレットロール」
次いで、本発明に係る第３の実施形態のトイレットロールについて説明する。
本第３の実施形態は、上記のトイレットロールの製造方法例で示した、糊３０に洗浄剤を含有させた形態である。すなわち、紙管１１を複数枚の帯状の紙管原紙が幅方向に一部重ねられた状態で螺旋状に巻き、その重ね合わせ部において糊により接着したものとして、その重ね合わせ部に配された糊中に洗浄剤を含有した形態である。
【００６７】
本形態では、既存設備で簡易に洗浄剤担持量を増加させることができる利点がある。
【００６８】
以上、本発明に係るトイレットロール１０の第１から第３の形態を説明したが、本発明はこれらの形態に限定されるものではない。また、第１の実施形態〜第３の実施形態を重畳的に採用することができる。
【符号の説明】
【００６９】
Ｘ２…ワインダー装置、Ｘ３…ログアキュームレーター、Ｘ４…ログカッター設備、１０…トイレットロール、１０Ｒ…ログ、１１Ｌ…長尺紙管、１１…紙管、１２…紙管原紙、１２Ａ…紙管用原紙原反、１３…糊付けロール、１４…コアワインダー、１５…シャフト、１６…スリッター、Ｓ１，Ｓ２…トイレットペーパー原紙、Ｓ３…トイレットペーパー、５１…重ね合わせ部、５４…コンタクトエンボス付与装置、７０…ミシン目線形成装置、７５…巻き取り装置、７６…ログカッター、（Ａ）…紙管製造工程、（Ｂ）…ログ製造工程、（Ｃ）…裁断工程、３０…糊、２２…水解性原紙、２５…水溶性接着剤、５０…洗浄剤。
【図１】
0005859238.tif 000002
【図２】
0005859238.tif 000003
【図３】
0005859238.tif 000004
【図４】
0005859238.tif 000005